(57)【特許請求の範囲】
【請求項１】
１つ以上の設備端末と、設備端末の制御を行う設備コントローラと、設備端末の制御を行うための画面を表示する表示部を備えた設備ビューアとがネットワークを介して接続され、設備コントローラまたは設備ビューアは、各設備端末を制御する操作を行うための表示データを各設備端末の機能毎に生成し、さらに各設備端末が発するイベント情報により１つ以上の前記表示データを用いて画面データを生成し、設備ビューアが画面データを表示部に表示するネットワークシステムの画面表示方法であって、
各設備端末が発するイベント情報にはイベント識別子が予め付与され、
設備コントローラまたは設備ビューアは、各設備端末の機能を予め記憶しており、設備端末からイベント情報を受信すると、当該イベント情報に関連する設備端末の機能をイベント識別子に基づいて選択し、選択した機能に対応する前記表示データを他の機能に対応する前記表示データに比べて優先表示する画面データを生成し、
設備ビューアは、生成された画面データを表示部に表示する
ことを特徴とする画面表示方法。
【請求項２】
前記設備コントローラまたは設備ビューアは、前記各表示データに対して予め設定された表示順序のデータを格納した第１の記憶手段を備え、設備端末からイベント情報を受信すると、当該イベント情報に関連する設備端末の機能をイベント識別子に基づいて選択し、選択した機能に対応する前記表示データを、第１の記憶手段で予め設定された順序から繰り上げて他の機能に対応する前記表示データに比べて優先表示する画面データを生成することを特徴とする請求項１記載の画面表示方法。
【請求項３】
前記設備コントローラまたは設備ビューアは、前記優先表示する画面データを生成する際に、前記予め設定された順序から繰り上げられた前記表示データのうち、前記予め設定された順序が上位である前記表示データを、前記予め設定された順序が下位である前記表示データに比べて優先表示することを特徴とする請求項２記載の画面表示方法。
【請求項４】
前記設備コントローラまたは設備ビューアは、前記選択した機能に対応する前記表示データを予め設定された順序から繰り上げて他の機能に対応する前記表示データに比べて優先表示する画面データを生成した後、当該生成した画面データを一定時間記憶することを特徴とする請求項２または３記載の画面表示方法。
【請求項５】
前記設備コントローラまたは設備ビューアは、設備端末からイベント情報を受信すると、当該イベント情報に関連する設備端末の機能をイベント識別子に基づいて選択するとともに、前記選択した機能のうち、前記受信したイベント情報に対応して予め決められているプロパティ条件を満たす機能に対応する前記表示データを、他の機能に対応する前記表示データに比べて優先表示する画面データを生成することを特徴とする請求項１乃至４いずれか記載の画面表示方法。
【請求項６】
前記プロパティ条件は、設備端末に割り付けられた場所の情報を示す場所条件であり、前記設備コントローラまたは設備ビューアは、設備端末からイベント情報を受信すると、当該イベント情報に関連する設備端末の機能をイベント識別子に基づいて選択するとともに、前記選択した機能のうち、選択した機能を具備する設備端末に割り付けられた場所のプロパティが前記受信したイベント情報に対応して予め決められている場所条件を満たす機能に対応する前記表示データを、他の機能に対応する前記表示データに比べて優先表示する画面データを生成することを特徴とする請求項５記載の画面表示方法。
【請求項７】
前記設備コントローラまたは設備ビューアは、前記各表示データに対して予め設定された表示順序のデータを格納した第１の記憶手段と、各イベント情報に付与されたイベント識別子と当該イベント情報に関連する機能との対応関係を格納した第２の記憶手段と、各設備端末と当該設備端末の機能との対応関係を格納した第３の記憶手段とを備え、設備端末からイベント情報を受信すると、各イベント情報に付与されたイベント識別子に関連する設備端末の機能を第２の記憶手段を参照して選択し、当該選択した機能に対応付けられた設備端末を第３の記憶手段を参照して選択し、選択した設備端末の機能に対応する前記表示データを、第１の記憶手段で予め設定された順序から繰り上げて他の機能に対応する前記表示データに比べて優先表示する画面データを生成し、当該優先表示する画面データを生成する際に、前記予め設定された順序から繰り上げられた前記表示データについて、第２の記憶手段で上位に設定された機能に対応する前記表示データほど優先表示されることを特徴とする請求項１記載の画面表示方法。
【請求項８】
前記設備端末は、制御対象として制御情報を与えられることにより所定の動作を行う機能部と、機能部の動作に対応する制御情報を定義した入出力定義を１乃至複数具備して当該入出力定義に定義されている前記制御情報を機能部に与える処理を実行するための１乃至複数のオブジェクトを有し、各オブジェクトに固有に付与されたオブジェクト固有識別子と当該オブジェクトが具備する入出力定義に付与されたインターフェース識別子とで構成される付与識別子を用いた実行要求を受け取った場合、当該オブジェクトを実行することによって制御情報を機能部に与える情報処理部とを備え、
前記設備コントローラまたは設備ビューアは、各イベント情報に付与されたイベント識別子と当該イベント情報に関連する設備端末の機能部の動作に対応するオブジェクトに付与されたインターフェース識別子との対応関係を格納した第２の記憶手段、および、各設備端末が具備するオブジェクトに付与されたオブジェクト固有識別子とインターフェース識別子との対応関係を格納した第３の記憶手段を備え、設備端末からイベント情報を受信すると、各イベント情報に付与されたイベント識別子に関連するインターフェース識別子を第２の記憶手段を参照して選択し、当該選択したインターフェース識別子に対応付けられたオブジェクト固有識別子を第３の記憶手段を参照して選択し、選択したオブジェクト固有識別子およびインターフェース識別子を付与されたオブジェクトを具備する設備端末の機能部の動作に対応する前記表示データを、他の機能部の動作に対応する前記表示データに比べて優先表示する画面データを生成する
ことを特徴とする請求項１記載の画面表示方法。
【発明の詳細な説明】
【技術分野】
【０００１】
本発明は、照明器具や防犯器具等を監視・制御するネットワークシステムに用いられる画面表示方法に関するものである。
【背景技術】
【０００２】
従来、照明、電気錠、空調等のサービスを提供する機能を有する１つ以上の設備端末と、設備端末の制御を行う設備コントローラと、設備端末の制御を行うための画面を備えた設備ビューアとがネットワークを介して接続された住宅向けネットワークシステムがあり、設備端末がイベント情報（来客検知、照明のスイッチ操作、電気錠の施解錠検知等）を発すると、設備ビューアの画面には各設備端末を制御するための画面データが表示され、ユーザは、設備ビューアの画面を例えばＧＵＩによって操作し、所望の設備端末を制御していた。
【０００３】
設備ビューアの画面には、照明や電気錠等の状態を示す表示データや、照明や電気錠等を制御するための表示データが表示されており、これらの表示データは、主に施工時の設備端末の検出順によって決定されており、常に同じ並びで画面上に表示されていた。
【０００４】
また、従来の他の画面表示方法としては、表示されるコンテンツ毎の利用実績に基づいて各コンテンツの表示優先順位を設定し、表示優先順位が高いコンテンツほど大きい領域のフレームに表示したり（例えば、特許文献１参照）、優先順位の高いイベント情報に対応するウェブページを表示する（例えば、特許文献２参照）方法もある。
【特許文献１】特開２００６−３４９９５６号公報
【特許文献２】特開２００７−２７２８６３号公報
【発明の開示】
【発明が解決しようとする課題】
【０００５】
しかしながら、設備端末の台数が増えてくると、設備ビューアの画面に表示される表示データが多くなって、操作画面が複数ページに亘って形成されて、ユーザが操作したい設備端末の操作画面にたどり着くまでに時間がかかってしまう。例えば、インターホンによる来客通知等のイベント情報が発生した場合、ユーザが次に行う動作がわかっているにも関わらず、複数の画面をたどらなければ目的の操作画面を表示できなかった。
【０００６】
また、上記特許文献１の技術においても、表示優先順位が低いコンテンツを表示させるには時間がかかり、さらに上記特許文献２の技術においても、予め設定されている優先順位の低いイベント情報に対応するウェブページを表示させるには時間がかかってしまう。
【０００７】
本発明は、上記事由に鑑みてなされたものであり、その目的は、ネットワークシステムに用いられ、イベント発生時にユーザが操作したい設備端末の操作画面にたどり着くまでの時間を短縮できる画面表示方法を提供することにある。
【課題を解決するための手段】
【０００８】
請求項１の発明は、１つ以上の設備端末と、設備端末の制御を行う設備コントローラと、設備端末の制御を行うための画面を表示する表示部を備えた設備ビューアとがネットワークを介して接続され、設備コントローラまたは設備ビューアは、各設備端末を制御する操作を行うための表示データを各設備端末の機能毎に生成し、さらに各設備端末が発するイベント情報により１つ以上の前記表示データを用いて画面データを生成し、設備ビューアが画面データを表示部に表示するネットワークシステムの画面表示方法であって、各設備端末が発するイベント情報にはイベント識別子が予め付与され、設備コントローラまたは設備ビューアは、各設備端末の機能を予め記憶しており、設備端末からイベント情報を受信すると、当該イベント情報に関連する設備端末の機能をイベント識別子に基づいて選択し、選択した機能に対応する前記表示データを他の機能に対応する前記表示データに比べて優先表示する画面データを生成し、設備ビューアは、生成された画面データを表示部に表示することを特徴とする。
【０００９】
この発明によれば、イベントに関連した操作が操作画面に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる。
【００１０】
請求項２の発明は、請求項１において、前記設備コントローラまたは設備ビューアは、前記各表示データに対して予め設定された表示順序のデータを格納した第１の記憶手段を備え、設備端末からイベント情報を受信すると、当該イベント情報に関連する設備端末の機能をイベント識別子に基づいて選択し、選択した機能に対応する前記表示データを、第１の記憶手段で予め設定された順序から繰り上げて他の機能に対応する前記表示データに比べて優先表示する画面データを生成することを特徴とする。
【００１１】
この発明によれば、イベント発生時には予め設定された順序（初期状態）を基にして表示データの表示順が設定されるので、イベントに関連しない設備端末の表示順を再設定する必要がない。さらに、各設備端末の表示データの表示順にランダム性がなくなり、ユーザが操作画面を探して画面遷移をする可能性を小さくできる。
【００１２】
請求項３の発明は、請求項２において、前記設備コントローラまたは設備ビューアは、前記優先表示する画面データを生成する際に、前記予め設定された順序から繰り上げられた前記表示データのうち、前記予め設定された順序が上位である前記表示データを、前記予め設定された順序が下位である前記表示データに比べて優先表示することを特徴とする
【００１３】
この発明によれば、予め設定されている表示順を参照して、優先表示する画面データを生成するので、表示の統一性を維持することができる。
【００１４】
請求項４の発明は、請求項２または３において、前記設備コントローラまたは設備ビューアは、前記選択した機能に対応する前記表示データを予め設定された順序から繰り上げて他の機能に対応する前記表示データに比べて優先表示する画面データを生成した後、当該生成した画面データを一定時間記憶することを特徴とする。
【００１５】
この発明によれば、イベント発生後も、一定時間が経過するまでは最新のイベントに関連した操作が操作画面に優先表示される状態が維持され、ユーザにとって利便性の高いものとなる。
【００１６】
請求項５の発明は、請求項１乃至４いずれかにおいて、前記設備コントローラまたは設備ビューアは、設備端末からイベント情報を受信すると、当該イベント情報に関連する設備端末の機能をイベント識別子に基づいて選択するとともに、前記選択した機能のうち、前記受信したイベント情報に対応して予め決められているプロパティ条件を満たす機能に対応する前記表示データを、他の機能に対応する前記表示データに比べて優先表示する画面データを生成することを特徴とする。
【００１７】
この発明によれば、設備端末の機能のプロパティにより表示データの並び順序を制御されるので、同一の機能を有する設備端末が複数接続される場合でも、よりイベントに関連した設備端末の表示データを操作画面に優先表示させることができる。
【００１８】
請求項６の発明は、請求項５において、前記プロパティ条件は、設備端末に割り付けられた場所の情報を示す場所条件であり、前記設備コントローラまたは設備ビューアは、設備端末からイベント情報を受信すると、当該イベント情報に関連する設備端末の機能をイベント識別子に基づいて選択するとともに、前記選択した機能のうち、選択した機能を具備する設備端末に割り付けられた場所のプロパティが前記受信したイベント情報に対応して予め決められている場所条件を満たす機能に対応する前記表示データを、他の機能に対応する前記表示データに比べて優先表示する画面データを生成することを特徴とする。
【００１９】
この発明によれば、各設備端末の設置場所に対応したプロパティを使用することで、よりイベントに関連した設備端末の表示データを操作画面に優先表示させることが容易となる。
【００２０】
請求項７の発明は、請求項１において、前記設備コントローラまたは設備ビューアは、前記各表示データに対して予め設定された表示順序のデータを格納した第１の記憶手段と、各イベント情報に付与されたイベント識別子と当該イベント情報に関連する機能との対応関係を格納した第２の記憶手段と、各設備端末と当該設備端末の機能との対応関係を格納した第３の記憶手段とを備え、設備端末からイベント情報を受信すると、各イベント情報に付与されたイベント識別子に関連する設備端末の機能を第２の記憶手段を参照して選択し、当該選択した機能に対応付けられた設備端末を第３の記憶手段を参照して選択し、選択した設備端末の機能に対応する前記表示データを、第１の記憶手段で予め設定された順序から繰り上げて他の機能に対応する前記表示データに比べて優先表示する画面データを生成し、当該優先表示する画面データを生成する際に、前記予め設定された順序から繰り上げられた前記表示データについて、第２の記憶手段で上位に設定された機能に対応する前記表示データほど優先表示されることを特徴とする。
【００２１】
この発明によれば、イベントに関連した操作が操作画面に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる。さらには、イベント発生時に優先表示する順序を第２の記憶手段で任意に設定でき、表示の自由度が向上する。
【００２２】
請求項８の発明は、請求項１において、前記設備端末は、制御対象として制御情報を与えられることにより所定の動作を行う機能部と、機能部の動作に対応する制御情報を定義した入出力定義を１乃至複数具備して当該入出力定義に定義されている前記制御情報を機能部に与える処理を実行するための１乃至複数のオブジェクトを有し、各オブジェクトに固有に付与されたオブジェクト固有識別子と当該オブジェクトが具備する入出力定義に付与されたインターフェース識別子とで構成される付与識別子を用いた実行要求を受け取った場合、当該オブジェクトを実行することによって制御情報を機能部に与える情報処理部とを備え、前記設備コントローラまたは設備ビューアは、各イベント情報に付与されたイベント識別子と当該イベント情報に関連する設備端末の機能部の動作に対応するオブジェクトに付与されたインターフェース識別子との対応関係を格納した第２の記憶手段、および、各設備端末が具備するオブジェクトに付与されたオブジェクト固有識別子とインターフェース識別子との対応関係を格納した第３の記憶手段を備え、設備端末からイベント情報を受信すると、各イベント情報に付与されたイベント識別子に関連するインターフェース識別子を第２の記憶手段を参照して選択し、当該選択したインターフェース識別子に対応付けられたオブジェクト固有識別子を第３の記憶手段を参照して選択し、選択したオブジェクト固有識別子およびインターフェース識別子を付与されたオブジェクトを具備する設備端末の機能部の動作に対応する前記表示データを、他の機能部の動作に対応する前記表示データに比べて優先表示する画面データを生成することを特徴とする。
【００２３】
この発明によれば、各設備端末が具備するオブジェクトに付与されたオブジェクト固有識別子、インターフェース識別子によって、設備端末および各設備端末の機能を特定できるので、イベントに関連した設備端末および機能を容易に特定できる。
【発明の効果】
【００２４】
以上説明したように、本発明では、ネットワークシステムに用いられ、イベント発生時にユーザが操作したい設備端末の操作画面にたどり着くまでの時間を短縮できる画面表示方法を提供することができるという効果がある。
【発明を実施するための最良の形態】
【００２５】
以下、本発明の実施の形態を図面に基づいて説明する。
【００２６】
（実施形態１）
図１は、住宅向けネットワークシステムの構成を示し、１つ以上の設備端末１（図１では３台）と、設備端末１の制御を行う設備コントローラ２と、設備端末１の制御を行うための表示機能を備えた設備ビューア３とがネットワークＮＴを介して接続されている。
【００２７】
設備端末１は、ネットワーク接続部１ａと、外部機器制御監視部１ｂと、信号受信部１ｃと、信号送信部１ｄと、ＩＦ情報記憶部１ｅとで構成される。
【００２８】
ネットワーク接続部１ａは、各設備端末１に固有のアドレス情報を格納しており、このアドレス情報に基づいてネットワーク通信を行う。このアドレス情報は、ＩＰアドレスや、例えば低速の専用線通信に用いるＭＡＣアドレス等で構成される。
【００２９】
外部機器制御監視部１ｂは、図２に示すように、機能部１０ｂと、情報処理部１１ｂとで構成されており、機能部１０ｂは、照明器具や電気錠、防犯センサ等の外部機器を接続し、制御対象として制御情報を与えられることにより外部機器の制御・監視を行う。機能部１０ｂが有する機能としては、照明器具の点灯状態の制御・監視を行う機能や、電気錠の施開錠状態の制御・監視を行う機能や、防犯センサから検知状態を監視する機能等がある。
【００３０】
情報処理部１１ｂは、本実施形態のネットワークシステムにおけるオブジェクトサーバ機能を実現するために、オブジェクトが含まれたソフトモジュール（以下、ＭＯＳ＜Micro Object Server＞と称す）が組み込まれており、機能部１０ｂを介して外部機器に動作指示（動作制御）するための関数を与える処理、機能部１０ｂを介して外部機器の現在状態を示す変数を取得する処理、さらには機能部１０ｂを介して外部機器の状態変化が発生したことを示すイベント情報を取得する処理を行う。
【００３１】
本実施形態のネットワークシステムを構築する各設備端末１は、外部機器の制御・監視のための処理を行う際に用いる１乃至複数のオブジェクトを、情報処理部１１ｂ内に組み込まれたＭＯＳに具備する。各オブジェクトは、機能部１０ｂが外部機器に対して行う制御監視内容に対応する制御情報（変数、関数、イベント情報の組み合わせ）を定義した入出力定義（以下、インターフェースと称す）を１乃至複数具備し、各オブジェクトには、当該オブジェクトに固有に付与されたオブジェクト固有識別子（以下、ＯＩＤと称す）と、当該オブジェクトが具備する各インターフェースに付与されたインターフェース識別子（以下、ＩＩＤと称す）とで構成された付与識別子［ＯＩＤ＋ＩＩＤ］を付与されている。
【００３２】
そして、情報処理部１１ｂは、付与識別子を用いた実行要求を受け取った場合、当該付与識別子を付与されているオブジェクトを実行することによって制御情報を機能部１０ｂに与える。
【００３３】
なお、制御監視内容に対応する定義内容が同一のインターフェース、つまり同じＩＩＤを付与したインターフェースは複数のオブジェクト下に割り当てることが許されるものである。さらに、特定の設備端末１を指定することが必要の無いサービスでは、同一のＯＩＤを複数の設備端末１に割り当てることも可能である。
【００３４】
また、本実施形態のネットワークシステムにおけるプロトコルには、ＯＳＩ７階層モデルを用い、最上位階層のアプリケーション層としては、設備端末１の情報処理部１１ｂのＭＯＳが他の端末装置との間で変数、イベント情報、関数の各情報の授受を行うための独自のオブジェクトアクセスプロトコル（Object  Access  Protocol＝ＯＡＰ）を用いている。
【００３５】
信号受信部１ｃは、ネットワークＮＴからネットワーク接続部１ａを介して付与識別子［ＯＩＤ＋ＩＩＤ］を用いた実行要求を受けて、付与識別子［ＯＩＤ＋ＩＩＤ］を情報処理部１１ｂに引き渡す。
【００３６】
信号送信部１ｄは、外部機器制御監視部１ｂを介して、外部機器の現在状態を示す変数や外部機器の状態変化が発生したことを示すイベント情報等の信号を受け、ネットワーク接続部１ａを介してネットワークＮＴへ送出する。
【００３７】
ＩＦ情報記憶部１ｅは、各設備端末１の情報処理部１１ｂ内に具備するオブジェクトの付与識別子［ＯＩＤ＋ＩＩＤ］の情報を格納している。
【００３８】
設備コントローラ２は、設備コントローラ２に固有のアドレス情報を格納しており、このアドレス情報に基づいてネットワーク通信を行うネットワーク接続部２ａと、設備端末１から送出された変数やイベント情報等の信号をネットワーク接続部２ａを介して受信する信号受信部２ｂと、ネットワーク接続部２ａを介してネットワークＮＴへ各種信号を送出する信号送信部２ｃと、図３に示すＩＦ情報リストＬ１を格納したＩＦ情報リスト記憶部２ｄ（第３の記憶手段）と、図４に示すイベント−ＩＦ対応リストＬ２を格納したイベント−ＩＦ対応リスト記憶部２ｅ（第２の記憶手段）と、図５に示す画面表示順リストＬ３を格納した画面構成記憶部２ｆ（第１の記憶手段）と、画面構成記憶部２ｆの画面表示順リストＬ３を参照して各設備端末１を個別に制御・監視するための操作を行う表示データを作成し、この表示データを用いて操作画面の画面データを生成する画面データ生成部２ｇと、ネットワーク接続部２ａを介してネットワークＮＴへ画面データを送出する画面データ送信部２ｈとで構成される。なお、設備コントローラ２は、上記以外に設備端末１の制御を行う手段も備えているが、図１では省略する。
【００３９】
ＩＦ情報リスト記憶部２ｄに格納されているＩＦ情報リストＬ１は、設備コントローラ２が、信号送信部２ｃからＩＦ要求信号をネットワークＮＴ上に送出することで、ネットワークＮＴ内に接続されている各設備端末１が具備するオブジェクトの付与識別子［ＯＩＤ＋ＩＩＤ］を取得し、この取得した付与識別子［ＯＩＤ＋ＩＩＤ］に対応して外部機器の名称を入力（例えばユーザによる入力）することで、図３に示すように、各設備端末１が具備しているオブジェクトの付与識別子［ＯＩＤ＋ＩＩＤ］と、当該設備端末１に接続されている外部機器の名称とを対応付けて作成される。本実施形態の外部機器としては、居間照明、玄関照明、玄関インターホン、玄関電気錠、風呂照明、寝室照明が例示されており、ＩＩＤ［０００１］は照明機能、ＩＩＤ［０００２］はインターホン機能、ＩＩＤ［０００３］は電気錠機能に対応している。なお、本実施形態では、１つの設備端末１が１つのオブジェクトを具備しており、１つの設備端末１に対応する付与識別子［ＯＩＤ＋ＩＩＤ］も１つのみである。
【００４０】
イベント−ＩＦ対応リスト記憶部２ｅに格納されているイベント−ＩＦ対応リストＬ２は、図４に示すように、イベント情報発生元の外部機器が接続されている設備端末１が具備するオブジェクトに付与されているＩＩＤと、当該イベント情報に付与されているイベントＩＤと、当該イベント情報に関連した機能を実行させるオブジェクトに付与されているＩＩＤ（関連ＩＩＤ）とが対応付けられており、この対応付けはシステム設置時に予め行われている。
【００４１】
画面構成記憶部２ｆに格納されている画面表示順リストＬ３は、図５に示すように、画面表示順が高い順に、居間照明、玄関照明、風呂照明、寝室照明、玄関電気錠が接続されている各設備端末１が具備するオブジェクトの付与識別子［ＯＩＤ＋ＩＩＤ］が初期設定として対応付けられており、この初期設定は、上記ＩＦ要求信号によって、各設備端末１が具備するオブジェクトの付与識別子［ＯＩＤ＋ＩＩＤ］を取得した際の取得順が、画面表示順の初期状態に設定されている。また、新たに取得された設備端末１が具備するオブジェクトの付与識別子［ＯＩＤ＋ＩＩＤ］は、画面表示順リストＬ３の最下位に追加される。
【００４２】
設備ビューワ３は、設備ビューワ３に固有のアドレス情報を格納しており、このアドレス情報に基づいてネットワーク通信を行うネットワーク接続部３ａと、設備コントローラ２からネットワーク接続部３ａを介して画面データを受信する画面データ受信部３ｂと、受信した画面データを表示する表示部３ｃと、表示部３ｃ上でＧＵＩによる操作を行うことで付与識別子［ＯＩＤ＋ＩＩＤ］を用いた実行要求等の制御信号を生成する画面操作入力部３ｄと、ネットワーク接続部２ａを介してネットワークＮＴへ制御信号を送出する信号送信部３ｅとで構成される。
【００４３】
次に、ユーザが設備ビューワ３を操作して操作画面要求を行う通常動作について、図６のフローチャートを用いて説明する。
【００４４】
まず、設備ビューア３の表示部３ｃに表示される図７（ａ）の開始画面Ｇ１において、制御ボタンＢａをクリックすると、画面操作入力部３ｄが操作画面要求を生成し、信号送信部３ｅからネットワーク接続部３ａを介して、設備コントローラ２へ操作画面要求を送信する（ステップＳ１）。操作画面要求を受け取った設備コントローラ２では、画面データ生成部２ｇが、画面構成記憶部２ｆの画面表示順リストＬ３を参照して、各付与識別子［ＯＩＤ＋ＩＩＤ］に対応する設備端末１を個別に制御・監視するための操作を行う操作ボタン（後述する操作画面上の操作ボタン）の表示データを、付与識別子［ＯＩＤ＋ＩＩＤ］毎（本実施形態では設備端末１毎に相当する）に作成するとともに、各表示データの画面表示順（画面内位置）を読み込み（ステップＳ２）、各表示データを画面表示順リストＬ３の画面表示順が高いほうから優先的に表示する画面データを生成し（ステップＳ３）、画面データ送信部２ｈを介してネットワークＮＴへ送出する（ステップＳ４）。
【００４５】
設備ビューワ３では、画面データ受信部３ｂが設備コントローラ２からの画面データを受け取り、表示部３ｃに図７（ｂ）の操作画面Ｇ２を表示する。操作画面Ｇ２において次ページボタンＢｂをクリックすると図７（ｃ）の操作画面Ｇ３に遷移し、操作画面Ｇ３において前ページボタンＢｃをクリックすると操作画面Ｇ２に再び遷移する。
【００４６】
操作画面Ｇ２には、居間照明操作ボタンＢ１、玄関照明操作ボタンＢ２、風呂照明操作ボタンＢ３が左から順に配置され、操作画面Ｇ３には、寝室照明操作ボタンＢ４、玄関電気錠操作ボタンＢ５が左から順に配置されている。この順番は、画面構成記憶部２ｆに格納されている画面表示順リストＬ３に基づいて、画面データ生成部２ｇが設定しており、前のページに配置されている操作ボタンほど、さらには同一ページ内の左側に配置されている操作ボタンほど表示順が高く、他の操作ボタンに比べて優先的に表示されており、ユーザにとっては操作画面にたどり着くまでの時間が短くなる。
【００４７】
また、操作ボタンＢ１〜Ｂ５には対応する設備端末１が具備するオブジェクトの付与識別子［ＯＩＤ＋ＩＩＤ］が割り付けられており、設備ビューア３の表示部３ｃ上で制御対象の操作ボタンをクリックすることで、付与識別子［ＯＩＤ＋ＩＩＤ］を用いた実行要求が設備ビューア３からネットワークＮＴに送出され、この実行要求を受け取った設備端末１は、実行要求に用いた付与識別子［ＯＩＤ＋ＩＩＤ］に対応するオブジェクトを具備している場合には、当該オブジェクトを実行することによって制御情報を機能部１０ｂに与え、外部機器の制御・監視を行う。すなわち、オブジェクト固有識別子ＯＩＤによって、オブジェクト（本実施形態では制御監視対象の設備端末１に相当する）を特定し、インターフェース識別子ＩＩＤによって、どの機能（照明機能、電気錠機能、防犯センサ機能等）を制御・監視するかを特定している。
【００４８】
次に、イベント発生時における画面表示方法について、図８のフローチャートを用いて説明する。
【００４９】
まず、外部機器の玄関インターホンに来客通知があった場合、玄関インターホンを接続している設備端末１から来客通知のイベント情報が送出され、設備コントローラ２がイベント情報を受信する（ステップＳ１１）。イベント情報には、当該イベント情報の送信元の設備端末１が具備するオブジェクトの付与識別子［ＯＩＤ＋ＩＩＤ］と、当該イベント情報に付与されているイベントＩＤとが含まれており、設備コントローラ２において、画面データ生成部２ｇは、受信したイベント情報より、送信元の設備端末１が具備するオブジェクトの付与識別子［ＯＩＤ＋ＩＩＤ］とイベントＩＤを抽出する（この場合、ＯＩＤ［００００３］、ＩＩＤ［０００２］、イベントＩＤ［Ｅ０１］となる）。
【００５０】
次に、画面データ生成部２ｇは、イベント−ＩＦ対応リスト記憶部２ｅに格納されているイベント−ＩＦ対応リストＬ２を参照して（図４）、上記抽出したＩＩＤ［０００２］およびイベントＩＤ［Ｅ０１］に対応する関連ＩＩＤを電気錠機能の［０００３］、照明機能の［０００１］の順で取得すると（ステップＳ１２）、ＩＦ情報リスト記憶部２ｄに格納されているＩＦ情報リストＬ１を参照して（図３参照）、関連ＩＩＤ［０００３］［０００１］と同一のＩＩＤに組み合わされているＯＩＤを検索し（ステップＳ１３）、画面構成記憶部２ｆの画面表示順リストＬ３において（図５）、検索したＯＩＤと関連ＩＩＤとを組み合わせた付与識別子［ＯＩＤ＋ＩＩＤ］の画面表示順を一時的に繰り上げる。このとき、イベント−ＩＦ対応リストＬ２の関連ＩＩＤの項目で上位に格納されているＩＩＤ［０００３］を含む付与識別子［ＯＩＤ＋ＩＩＤ］の画面表示順を、ＩＩＤ［０００１］を含む付与識別子［ＯＩＤ＋ＩＩＤ］の画面表示順より高くするので、ＩＦ情報リストＬ１で設定された通常時の表示順序に関係なくイベント発生時に優先表示する順序をイベント−ＩＦ対応リストＬ２で任意に設定でき、表示の自由度が向上する。
【００５１】
そして、画面データ生成部２ｇは、各付与識別子［ＯＩＤ＋ＩＩＤ］に対応する設備端末１を個別に制御監視するための操作を行う操作ボタンの表示データを、付与識別子［ＯＩＤ＋ＩＩＤ］毎に作成するとともに、上記のように画面表示順を変更した画面表示順リストＬ３から、各表示データの画面表示順（画面内位置）を読み込み、各表示データを画面表示順リストＬ３の画面表示順が高いほうから優先的に表示する画面データを生成し（ステップＳ１４）、画面データ送信部２ｈを介してネットワークＮＴへ送出する（ステップＳ１５）。
【００５２】
設備ビューワ３では、画面データ受信部３ｂが設備コントローラ２からの画面データを受け取り、表示部３ｃに図９（ａ）の開始画面Ｇ１１を表示する。そして、開始画面Ｇ１１において、制御ボタンＢｄをクリックすると、図９（ｂ）の操作画面Ｇ１２に遷移し、操作画面Ｇ１２において次ページボタンＢｅをクリックすると図９（ｃ）の操作画面Ｇ１３に遷移し、操作画面Ｇ１３において前ページボタンＢｆをクリックすると操作画面Ｇ１２に再び遷移する。
【００５３】
操作画面Ｇ１２には、玄関電気錠操作ボタンＢ５、玄関照明操作ボタンＢ２、居間照明操作ボタンＢ１が左から順に配置され、操作画面Ｇ３には、風呂照明操作ボタンＢ３、寝室照明操作ボタンＢ４が左から順に配置されている。この順番は、画面構成記憶部２ｆに格納されている画面表示順リストＬ３に基づいて、画面データ生成部２ｇが設定しており、前のページに配置されている操作ボタンほど、さらには同一ページ内の左側に配置されている操作ボタンほど表示順が高く、他の操作ボタンに比べて優先的に表示されており、ユーザにとっては、玄関インターホンが来客通知をしたことによるイベント発生によって、次に操作するであろう玄関電気錠操作ボタンＢ５を最も優先的に表示し、次に操作するであろう照明器具の操作ボタンＢ１，Ｂ２，Ｂ３，Ｂ４を次に表示している。
【００５４】
したがって、イベントに関連した操作が操作画面の先頭に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる
また、画面構成記憶部２ｆに格納されている画面表示順リストＬ３は、画面表示順の初期状態が予め設定されており、イベント発生時にはこの初期状態を基にして表示順が設定されるので、イベントに関連しない設備端末１の表示順を再設定する必要がない。さらに、各設備端末１の操作ボタンの表示順にランダム性がなくなり、ユーザが操作画面を探して画面遷移をする可能性を小さくできる。
【００５５】
そして、発生したイベントに関連した操作が上記のように操作画面の先頭に表示され、当該操作画面での操作が終了すると、画面構成記憶部２ｆに格納されている画面表示順リストＬ３の画面表示順は初期状態に戻る。
【００５６】
また本実施形態では、イベント発生時において、上記のようにイベント−ＩＦ対応リストＬ２（図４参照）で上位に格納されている関連ＩＩＤを含む付与識別子［ＯＩＤ＋ＩＩＤ］が、イベント−ＩＦ対応リストＬ２で下位に格納されている関連ＩＩＤを含む付与識別子［ＯＩＤ＋ＩＩＤ］より、対応する表示ボタンの画面表示順を高く設定しているが、イベント発生時において、関連ＩＩＤを含む付与識別子［ＯＩＤ＋ＩＩＤ］が画面表示順リストＬ３の初期設定で上位に設定されているほど、対応する表示ボタンの画面表示順を高く設定してもよい。この場合、画面表示順リストＬ３の初期設定を参照して、イベント発生時の優先順位が決定されるので、通常時とイベント発生時とで表示の統一性を維持することができる。
【００５７】
なお本実施形態では、イベント発生時において優先表示する表示ボタン同士の画面表示順を、上記のようにイベント−ＩＦ対応リストＬ２、または画面表示順リストＬ３の初期設定に基づいて決定しているが、優先表示する表示ボタンの画面表示順が他の表示ボタンに比べて早ければ、優先表示する表示ボタン同士の表示順は上記に限定されない。
【００５８】
（実施形態２）
本実施形態において、住宅向けネットワークシステムの構成は実施形態１と同様に図１に示される。
【００５９】
しかし、イベント−ＩＦ対応リスト記憶部２ｅに格納されているイベント−ＩＦ対応リストＬ１２は、図１０に示すように、イベント情報発生元の外部機器が接続されている設備端末１が具備するオブジェクトに付与されているＩＩＤと、当該イベント情報に付与されているイベントＩＤと、当該イベント情報に関連した機能を実行させるオブジェクトに付与されているＩＩＤ（関連ＩＩＤ）に加えて、プロパティ取得先ＩＩＤと、プロパティＩＤ（またはイベントフラグ）と、プロパティ条件（またはイベント条件）とが対応付けられている。
【００６０】
ここで、設備端末１は、プロパティ値として、当該設備端末１に接続している外部機器の状態（点灯状態、施錠状態等）に対応した状態プロパティ値（外部機器の現在状態を示す変数に相当する）や、外部機器の設置場所（例えば、玄関、居間等）に対応した場所プロパティ値を格納している。
【００６１】
次に、イベント発生時における画面表示方法について説明する。
【００６２】
まず、外部機器の玄関インターホンに来客通知があった場合、玄関インターホンを接続している設備端末１から来客通知のイベント情報が送出され、設備コントローラ２がイベント情報を受信する。イベント情報には、当該イベント情報の送信元の設備端末１が具備するオブジェクトの付与識別子［ＯＩＤ＋ＩＩＤ］と、当該イベント情報に付与されているイベントＩＤとが含まれており、設備コントローラ２において、画面データ生成部２ｇは、受信したイベント情報より、送信元の設備端末１が具備するオブジェクトの付与識別子［ＯＩＤ＋ＩＩＤ］とイベントＩＤを抽出する（この場合、ＯＩＤ［００００３］、ＩＩＤ［０００２］、イベントＩＤ［Ｅ０１］となる）。
【００６３】
次に、画面データ生成部２ｇは、イベント−ＩＦ対応リスト記憶部２ｅに格納されているイベント−ＩＦ対応リストＬ１２を参照して（図１０）、上記抽出したＩＩＤ［０００２］およびイベントＩＤ［Ｅ０１］に対応する関連ＩＩＤを電気錠機能の［０００３］、照明機能の［０００１］の順で取得すると、ＩＦ情報リスト記憶部２ｄに格納されているＩＦ情報リストＬ１を参照して（図３参照）、関連ＩＩＤ［０００３］［０００１］と同一のＩＩＤに組み合わされているＯＩＤを検索する。
【００６４】
次に、画面データ生成部２ｇは、上記検索した結果、該当するＯＩＤと関連ＩＩＤ［０００３］［０００１］との組み合わせからなる付与識別子［ＯＩＤ＋ＩＩＤ］に対応する設備端末１に対して、イベント−ＩＦ対応リストＬ１２に含まれるプロパティ取得先ＩＩＤとプロパティＩＤを用いてプロパティ取得要求を送信し、プロパティ取得要求を受信した設備端末１よりプロパティ値（またはイベントフラグ）を取得する。イベント−ＩＦ対応リストＬ１２を参照すると、電気錠機能のＩＩＤ［０００３］を具備する（電気錠を接続した）設備端末１からは場所プロパティ値を取得し、照明機能のＩＩＤ［０００１］を具備する（照明器具を接続した）設備端末１からは状態プロパティ値を取得する。なお、場所プロパティ値は、設備端末１のネットワークＮＴへの接続時に、設備コントローラ２が当該設備端末１から予め取得しておいてもよい。
【００６５】
次に、画面データ生成部２ｇは、プロパティ値とイベント−ＩＦ対応リストＬ１２のプロパティ条件とを比較し、画面構成記憶部２ｆの画面表示順リストＬ３内で（図５参照）、取得したプロパティ値がプロパティ条件を満たした設備端末１が具備するオブジェクトの付与識別子［ＯＩＤ＋ＩＩＤ］の画面表示順を一時的に繰り上げる。例えば、玄関電気錠を接続した設備端末１から取得した場所プロパティ値は［玄関］であり、プロパティ条件と一致するので、画面表示順を一時的に繰り上げる。また、居間照明を接続した設備端末１から取得した状態プロパティ値は［ＯＮ］であり、プロパティ条件と一致しないので、画面表示順は繰り上げられず、玄関照明を接続した設備端末１から取得した状態プロパティ値は［ＯＦＦ］であり、プロパティ条件と一致するので、画面表示順を一時的に繰り上げる。このとき、イベント−ＩＦ対応リストＬ１２の関連ＩＩＤの項目で上位に格納されているＩＩＤ［０００３］を含む付与識別子［ＯＩＤ＋ＩＩＤ］の画面表示順を、ＩＩＤ［０００１］を含む付与識別子［ＯＩＤ＋ＩＩＤ］の画面表示順より高くするので、ＩＦ情報リストＬ１で設定された通常時の表示順序に関係なくイベント発生時に優先表示する順序をイベント−ＩＦ対応リストＬ１２で任意に設定でき、表示の自由度が向上する。
【００６６】
そして、画面データ生成部２ｇは、各付与識別子［ＯＩＤ＋ＩＩＤ］に対応する設備端末１を個別に制御監視するための操作を行う操作ボタンの表示データを、付与識別子［ＯＩＤ＋ＩＩＤ］毎に作成するとともに、上記のように画面表示順を変更した画面表示順リストＬ３から、各表示データの画面表示順（画面内位置）を読み込み、各表示データを画面表示順リストＬ３の画面表示順が高いほうから優先的に表示する画面データを生成し、画面データ送信部２ｈを介してネットワークＮＴへ送出する。
【００６７】
したがって、イベントに関連した操作が操作画面の先頭に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる。
【００６８】
さらに、画面構成記憶部２ｆに格納されている画面表示順リストＬ３は、設備端末１毎に設定されているプロパティ値により並び順序を制御されるので、同一の機能を有する設備端末１が複数接続される場合でも、よりイベントに関連した設備端末１の表示データを操作画面に優先表示させることができる。
【００６９】
また、各設備端末１の設置場所に対応した場所プロパティ値を使用することで、よりイベントに関連した設備端末１の操作ボタンを操作画面の先頭に出しやすくなる。さらに、各設備端末１の状態に対応した状態プロパティ値を併用することによって、例えば、玄関インターホンの来客通知イベントが発生した場合に、玄関照明を接続した設備端末１の状態プロパティ値も併せて使用すると、玄関照明の点灯時は操作画面に玄関照明の操作ボタンを表示させないこともできる。
【００７０】
なお、実施形態１と同様の構成には同一の符号を付して説明は省略する。
【００７１】
（実施形態３）
本実施形態において、住宅向けネットワークシステムの構成は実施形態１と同様に図１に示される。
【００７２】
しかし、イベント−ＩＦ対応リスト記憶部２ｅに格納されているイベント−ＩＦ対応リストＬ２２は、図１１に示すように、イベント情報発生元の外部機器が接続されている設備端末１が具備するオブジェクトに付与されているＩＩＤと、当該イベント情報に付与されているイベントＩＤと、当該イベント情報に関連した機能を実行させるオブジェクトに付与されているＩＩＤ（関連ＩＩＤ）に加えて、プロパティ取得先ＩＩＤと、プロパティＩＤ（またはイベントフラグ）と、プロパティ条件（またはイベント条件）と、場所条件とが対応付けられている。
【００７３】
ここで、設備端末１は、プロパティ値として、当該設備端末１に接続している外部機器の状態（点灯状態、施錠状態等）に対応した状態プロパティ値（外部機器の現在状態を示す変数に相当する）や、その設置場所（例えば、玄関、居間等）に対応した場所プロパティ値を格納している。
【００７４】
さらに、画面構成記憶部２ｆに格納されている画面表示順リストＬ３１は、図１２に示すように、画面表示順が高い順に、居間照明、玄関照明、風呂照明、寝室照明、玄関電気錠に対応するオブジェクトの各付与識別子［ＯＩＤ＋ＩＩＤ］が対応付けられており、さらにイベント発生元ＩＩＤと、イベントＩＤと、場所と、新画面表示順と、有効期限の各項目が対応付けられている。
【００７５】
次に、イベント発生時における画面表示方法について説明する。
【００７６】
まず、外部機器の玄関インターホンに来客通知があった場合、玄関インターホンを接続している設備端末１から来客通知のイベント情報が送出され、設備コントローラ２がイベント情報を受信する。イベント情報には、当該イベント情報の送信元の設備端末１が具備するオブジェクトの付与識別子［ＯＩＤ＋ＩＩＤ］と、当該イベント情報に付与されているイベントＩＤとが含まれており、設備コントローラ２において、画面データ生成部２ｇは、受信したイベント情報より、送信元の設備端末１が具備するオブジェクトの付与識別子［ＯＩＤ＋ＩＩＤ］とイベントＩＤを抽出する（この場合、ＯＩＤ［００００３］、ＩＩＤ［０００２］、イベントＩＤ［Ｅ０１］となる）。
【００７７】
次に、画面データ生成部２ｇは、イベント−ＩＦ対応リスト記憶部２ｅに格納されているイベント−ＩＦ対応リストＬ２２を参照して（図１１）、上記抽出したＩＩＤ［０００２］およびイベントＩＤ［Ｅ０１］に対応する関連ＩＩＤを電気錠機能の［０００３］、照明機能の［０００１］の順で取得すると、ＩＦ情報リスト記憶部２ｄに格納されているＩＦ情報リストＬ１を参照して（図３参照）、関連ＩＩＤ［０００３］［０００１］と同一のＩＩＤに組み合わされているＯＩＤを検索する。
【００７８】
次に、画面データ生成部２ｇは、上記検索した結果、該当するＯＩＤと関連ＩＩＤ［０００３］［０００１］との組み合わせからなる付与識別子［ＯＩＤ＋ＩＩＤ］に対応する設備端末１に対して、イベント−ＩＦ対応リストＬ２２に含まれるプロパティ取得先ＩＩＤとプロパティＩＤを用いてプロパティ取得要求を送信し、プロパティ取得要求を受信した設備端末１より状態プロパティ値および場所プロパティ値（またはイベントフラグ）を取得する。なお、場所プロパティ値は、設備端末１のネットワークＮＴへの接続時に、設備コントローラ２が当該設備端末１から予め取得しておいてもよい。
【００７９】
次に、画面データ生成部２ｇは、取得したプロパティ値とイベント−ＩＦ対応リストＬ２２内のプロパティ条件、場所条件とを比較し、取得したプロパティ値がプロパティ条件［照明機能の点灯ＯＦＦ状態］、場所条件［玄関］を満たした設備端末１に対応する付与識別子［ＯＩＤ＋ＩＩＤ］の画面表示順を一時的に繰り上げ、繰り上げた後の画面表示順を、画面表示順リストＬ３１の新画面表示順の項目に設定する（図１２参照）。なお、画面表示順リストＬ３１において、画面表示順の項目は、初期設定であり、イベントの発生がなく、ユーザが設備ビューワ３を操作して操作画面要求を行う通常動作時の画面表示順を示す。
【００８０】
ここでは、玄関電気錠を接続した設備端末１から取得した場所プロパティ値は［玄関］であり、場所条件と一致するので、当該設備端末１の画面表示順を一時的に１番に繰り上げる。次に、玄関照明を接続した設備端末１から取得した場所プロパティは「玄関」であり、且つ状態プロパティ値は［ＯＦＦ］であり、場所条件およびプロパティ条件と一致するので、当該設備端末１の画面表示順を一時的に２番に繰り上げる。すなわち、イベント−ＩＦ対応リストＬ２２の関連ＩＩＤの項目で上位に格納されているＩＩＤ［０００３］を含む付与識別子［ＯＩＤ＋ＩＩＤ］の画面表示順を、ＩＩＤ［０００１］を含む付与識別子［ＯＩＤ＋ＩＩＤ］の画面表示順より高くする。さらに、居間照明、風呂照明、寝室照明を接続した各設備端末１から取得した場所プロパティ値は［玄関］とは異なり、場所条件と一致しないので、当該設備端末１の画面表示順は繰り上げられず、画面表示順を一時的に３番、４番、５番に設定する。而して、画面表示順リストＬ３１の新画面表示順の項目には、上記繰り上げ処理後の画面表示順が設定されている。
【００８１】
さらに、画面表示順を繰り上げた付与識別子［ＯＩＤ＋ＩＩＤ］に対応して、その繰り上げた画面表示順の有効期限を、画面表示順リストＬ３１の有効期限の項目に設定し、この有効期限内は、新画面表示順の設定内容を維持している。
【００８２】
また、画面表示順リストＬ３１において、イベント発生元ＩＩＤの項目にはインターホン機能の［０００２］が設定され、イベントＩＤの項目には来客通知の［Ｅ０１］が設定され、場所の項目には、各設備端末１から取得した場所プロパティ値が設定される。
【００８３】
そして、画面データ生成部２ｇは、各付与識別子［ＯＩＤ＋ＩＩＤ］に対応する設備端末１を個別に制御監視するための操作を行う操作ボタンの表示データを、付与識別子［ＯＩＤ＋ＩＩＤ］毎に作成するとともに、上記のように画面表示順を変更した画面表示順リストＬ３から、各表示データの画面表示順（画面内位置）を読み込み、各表示データを画面表示順リストＬ３の画面表示順が高いほうから優先的に表示する画面データを生成し、画面データ送信部２ｈを介してネットワークＮＴへ送出する。
【００８４】
設備ビューワ３では、画面データ受信部３ｂが設備コントローラ２からの画面データを受け取り、表示部３ｃに表示する。
【００８５】
したがって、イベントに関連した操作が操作画面の先頭に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる。
【００８６】
さらに、画面構成記憶部２ｆに格納されている画面表示順リストＬ３は、設備端末１毎に設定されているプロパティ値（状態プロパティ値、場所プロパティ値）により並び順序を制御されるので、同一の機能を有する設備端末１が複数接続される場合でも、よりイベントに関連した設備端末１の表示データを操作画面に優先表示させることができる。
【００８７】
また、各設備端末１の設置場所に対応した場所プロパティ値を使用することで、よりイベントに関連した設備端末１の操作を操作画面の先頭に出しやすくなる。さらに、各設備端末１の状態に対応した状態プロパティ値を併用することによって、例えば、玄関インターホンの来客通知イベントが発生した場合に、玄関照明を接続した設備端末１の状態プロパティ値も併せて使用すると、玄関照明の点灯時は操作画面に玄関照明の操作ボタンを表示させないこともできる。
【００８８】
さらに、画面表示順リストＬ３１の新画面表示順において有効期限を設定しているので、イベント発生から有効期限内に、ユーザが設備ビューワ３を操作して操作画面要求を行った場合、画面データ生成部２ｇは、この新画面表示順を用いて画面データを生成する。したがって、イベント発生後も、有効期限が経過するまでは最新のイベントに関連した操作が操作画面の先頭に表示される状態が維持され、ユーザにとって利便性の高いものとなる。
【００８９】
また、この有効期限内に新たなイベントが発生した場合は、この新たなイベント情報に応じて上記同様に画面表示順リストＬ３１の新画面表示順を更新する。有効期限を過ぎれば、画面表示順リストＬ３１の新画面表示順は消去されて、初期設定の画面表示順を用いて画面データを生成する。
【００９０】
なお、実施形態１と同様の構成には同一の符号を付して説明は省略する。
【００９１】
（実施形態４）
本実施形態の住宅向けネットワークシステムにおいては、図１３に示すように、設備ビューワ３が、図３に示すＩＦ情報リストＬ１を格納したＩＦ情報リスト記憶部３ｊ（第３の記憶手段）と、図４に示すイベント−ＩＦ対応リストＬ２を格納したイベント−ＩＦ対応リスト記憶部３ｆ（第２の記憶手段）と、設備端末１から送出された変数やイベント情報等の信号をネットワーク接続部３ａを介して受信する信号受信部３ｇと、図５に示す画面表示順リストＬ３を格納した画面構成記憶部３ｈ（第１の記憶手段）と、画面構成記憶部３ｈの画面表示順リストＬ３を参照して各設備端末１を個別に制御監視するための操作を行う表示データを作成し、この表示データを用いて操作画面の画面データを生成する画面データ生成部３ｉとを備えており、実施形態１の画面データ受信部３ｂは削除される。すなわち、画面データの生成手段を設備ビューワ３に設けており、設備コントローラ２は、設備端末１の制御を行う手段のみを備えている。
【００９２】
そして、ユーザが設備ビューワ３を操作して操作画面要求を行う通常動作について、図６のフローチャートを用いて説明する。
【００９３】
まず、設備ビューア３の表示部３ｃに表示される図７（ａ）の開始画面Ｇ１において、制御ボタンＢａをクリックすると、画面操作入力部３ｄが操作画面要求を生成し、画面データ生成部３ｉへ出力する。操作画面要求を受け取った画面データ生成部３ｉは、画面構成記憶部３ｈの画面表示順リストＬ３を参照して、各付与識別子［ＯＩＤ＋ＩＩＤ］に対応する設備端末１を個別に制御監視するための操作を行う操作ボタンの表示データを、付与識別子［ＯＩＤ＋ＩＩＤ］毎（本実施形態では設備端末１毎に相当する）に作成するとともに、各表示データの画面表示順（画面内位置）を読み込み、各表示データを画面表示順リストＬ３の画面表示順が高いほうから優先的に表示する画面データを生成し、表示部３ｃへ出力する。
【００９４】
画面データを受け取った表示部３ｃは、図７（ｂ）の操作画面Ｇ２を表示する。操作画面Ｇ２において次ページボタンＢｂをクリックすると図７（ｃ）の操作画面Ｇ３に遷移し、操作画面Ｇ３において前ページボタンＢｃをクリックすると操作画面Ｇ２に再び遷移する。
【００９５】
操作画面Ｇ２には、居間照明操作ボタンＢ１、玄関照明操作ボタンＢ２、風呂照明操作ボタンＢ３が左から順に配置され、操作画面Ｇ３には、寝室照明操作ボタンＢ４、玄関電気錠操作ボタンＢ５が左から順に配置されている。この順番は、画面構成記憶部３ｈに格納されている画面表示順リストＬ３に基づいて、画面データ生成部３ｉが設定しており、前のページに配置されている操作ボタンほど、さらには同一ページ内の左側に配置されている操作ボタンほど表示順が高く、他の操作ボタンに比べて優先的に表示されており、ユーザにとっては操作画面にたどり着くまでの時間が短くなる。
【００９６】
また、操作ボタンＢ１〜Ｂ５には対応する設備端末１が具備するオブジェクトの付与識別子［ＯＩＤ＋ＩＩＤ］が割り付けられており、設備ビューア３の表示部３ｃ上で制御対象の操作ボタンをクリックすることで、付与識別子［ＯＩＤ＋ＩＩＤ］を用いた実行要求が設備ビューア３からネットワークＮＴに送出され、この実行要求を受け取った設備端末１は、実行要求に用いた付与識別子［ＯＩＤ＋ＩＩＤ］に対応するオブジェクトを具備している場合には、当該オブジェクトを実行することによって制御情報を機能部１０ｂに与え、外部機器の制御・監視を行う。すなわち、オブジェクト固有識別子ＯＩＤによって、オブジェクト（本実施形態では制御監視対象の設備端末１に相当する）を特定し、インターフェース識別子ＩＩＤによって、どの機能（照明機能、電気錠機能、防犯センサ機能等）を制御・監視するかを特定している。
【００９７】
次に、イベント発生時における画面表示方法について、図１４のフローチャートを用いて説明する。
【００９８】
まず、外部機器の玄関インターホンに来客通知があった場合、玄関インターホンを接続している設備端末１から来客通知のイベント情報が送出され、設備ビューア３がイベント情報を受信する（ステップＳ２１）。イベント情報には、当該イベント情報の送信元の設備端末１が具備するオブジェクトの付与識別子［ＯＩＤ＋ＩＩＤ］と、当該イベント情報に付与されているイベントＩＤとが含まれており、設備ビューア３において、画面データ生成部３ｉは、受信したイベント情報より、送信元の設備端末１が具備するオブジェクトの付与識別子［ＯＩＤ＋ＩＩＤ］とイベントＩＤを抽出する（この場合、ＯＩＤ［００００３］、ＩＩＤ［０００２］、イベントＩＤ［Ｅ０１］となる）。
【００９９】
次に、画面データ生成部３ｉは、イベント−ＩＦ対応リスト記憶部３ｆに格納されているイベント−ＩＦ対応リストＬ２を参照して（図４）、上記抽出したＩＩＤ［０００２］およびイベントＩＤ［Ｅ０１］に対応する関連ＩＩＤを電気錠機能の［０００３］、照明機能の［０００１］の順で取得すると（ステップＳ２２）、ＩＦ情報リスト記憶部３ｊに格納されているＩＦ情報リストＬ１を参照して（図３参照）、関連ＩＩＤ［０００３］［０００１］と同一のＩＩＤに組み合わされているＯＩＤを検索し（ステップＳ２３）、画面構成記憶部３ｈの画面表示順リストＬ３において（図５）、検索したＯＩＤと関連ＩＩＤとを組み合わせた付与識別子［ＯＩＤ＋ＩＩＤ］の画面表示順を一時的に繰り上げる。このとき、イベント−ＩＦ対応リストＬ２の関連ＩＩＤの項目で上位に格納されているＩＩＤ［０００３］を含む付与識別子［ＯＩＤ＋ＩＩＤ］の画面表示順を、ＩＩＤ［０００１］を含む付与識別子［ＯＩＤ＋ＩＩＤ］の画面表示順より高くするので、ＩＦ情報リストＬ１で設定された通常時の表示順序に関係なくイベント発生時に優先表示する順序をイベント−ＩＦ対応リストＬ２で任意に設定でき、表示の自由度が向上する。
【０１００】
そして、画面データ生成部３ｉは、各付与識別子［ＯＩＤ＋ＩＩＤ］に対応する設備端末１を個別に制御監視するための操作を行う操作ボタンの表示データを、付与識別子［ＯＩＤ＋ＩＩＤ］毎に作成するとともに、上記のように画面表示順を変更した画面表示順リストＬ３から、各表示データの画面表示順（画面内位置）を読み込み、各表示データを画面表示順リストＬ３の画面表示順が高いほうから優先的に表示する画面データを生成し（ステップＳ２４）、表示部３ｃへ出力する（ステップＳ２５）。
【０１０１】
表示部３ｃは、図９（ａ）の開始画面Ｇ１１を表示する。そして、開始画面Ｇ１１において、制御ボタンＢｄをクリックすると、図９（ｂ）の操作画面Ｇ１２に遷移し、操作画面Ｇ１２において次ページボタンＢｅをクリックすると図９（ｃ）の操作画面Ｇ１３に遷移し、操作画面Ｇ１３において前ページボタンＢｆをクリックすると操作画面Ｇ１２に再び遷移する。
【０１０２】
操作画面Ｇ１２には、玄関電気錠操作ボタンＢ５、玄関照明操作ボタンＢ２、居間照明操作ボタンＢ１が左から順に配置され、操作画面Ｇ３には、風呂照明操作ボタンＢ３、寝室照明操作ボタンＢ４が左から順に配置されている。この順番は、画面構成記憶部３ｈに格納されている画面表示順リストＬ３に基づいて、画面データ生成部３ｉが設定しており、前のページに配置されている操作ボタンほど、さらには同一ページ内の左側に配置されている操作ボタンほど表示順が高く、他の操作ボタンに比べて優先的に表示されており、ユーザにとっては、玄関インターホンが来客通知をしたことによるイベント発生によって、次に操作するであろう玄関電気錠操作ボタンＢ５を最も優先的に表示し、次に操作するであろう照明器具の操作ボタンＢ１，Ｂ２，Ｂ３，Ｂ４を次に表示している。
【０１０３】
したがって、イベントに関連した操作が操作画面の先頭に優先表示されるようになるので、ユーザは操作画面で対応する機器機能を探して画面遷移を行なう回数を減らすことができ、イベント発生時にユーザが操作したい設備端末の操作画面にたどり着くまでの時間を短縮できる。
【０１０４】
また、画面構成記憶部３ｈに格納されている画面表示順リストＬ３は、画面表示順の初期状態が予め設定されており、イベント発生時にはこの初期状態を基にして表示順が設定されるので、イベントに関連しない設備端末１の表示順を再設定する必要がない。さらに、各設備端末１の操作ボタンの表示順にランダム性がなくなり、ユーザが操作画面を探して画面遷移をする可能性を小さくできる。
【０１０５】
そして、発生したイベントに関連した操作が上記のように操作画面の先頭に表示され、当該操作画面での操作が終了すると、画面構成記憶部３ｈに格納されている画面表示順リストＬ３の画面表示順は初期状態に戻る。
【０１０６】
また本実施形態では、イベント発生時において、上記のようにイベント−ＩＦ対応リストＬ２（図４参照）で上位に格納されている関連ＩＩＤを含む付与識別子［ＯＩＤ＋ＩＩＤ］が、イベント−ＩＦ対応リストＬ２で下位に格納されている関連ＩＩＤを含む付与識別子［ＯＩＤ＋ＩＩＤ］より、対応する表示ボタンの画面表示順を高く設定しているが、イベント発生時において、関連ＩＩＤを含む付与識別子［ＯＩＤ＋ＩＩＤ］が画面表示順リストＬ３の初期設定で上位に設定されているほど、対応する表示ボタンの画面表示順を高く設定してもよい。この場合、画面表示順リストＬ３の初期設定を参照して、イベント発生時の優先順位が決定されるので、通常時とイベント発生時とで表示の統一性を維持することができる。
【０１０７】
なお本実施形態では、イベント発生時において優先表示する表示ボタン同士の画面表示順を、上記のようにイベント−ＩＦ対応リストＬ２、または画面表示順リストＬ３の初期設定に基づいて決定しているが、優先表示する表示ボタンの画面表示順が他の表示ボタンに比べて早ければ、優先表示する表示ボタン同士の表示順は上記に限定されない。
【０１０８】
このような本実施形態は、画面データの生成手段を設備ビューワ３に設けた点が実施形態１と異なり、本実施形態の当該構成は実施形態２，３にも適用可能である。
【０１０９】
なお、実施形態１と同様の構成には同一の符号を付して説明は省略する。
【図面の簡単な説明】
【０１１０】
【図１】実施形態１の画面表示方法を用いた住宅向けネットワークシステムの構成を示す図である。
【図２】同上の外部機器制御監視部の構成を示す図である。
【図３】同上のＩＦ情報リストの構造を示す図である。
【図４】同上のイベント−ＩＦ対応リストの構造を示す図である。
【図５】同上の画面表示順リストの構造を示す図である。
【図６】同上の通常時の画面表示のフローチャートを示す図である。
【図７】（ａ）（ｂ）（ｃ）同上の通常時の画面表示を示す図である。
【図８】同上のイベント発生時の画面表示のフローチャートを示す図である。
【図９】（ａ）（ｂ）（ｃ）同上のイベント発生時の画面表示を示す図である。
【図１０】実施形態２のイベント−ＩＦ対応リストを示す図である。
【図１１】実施形態３のイベント−ＩＦ対応リストを示す図である。
【図１２】同上の画面表示順リストを示す図である。
【図１３】実施形態４の設備ビューワの構成を示す図である。
【図１４】同上のイベント発生時の画面表示のフローチャートを示す図である。
【符号の説明】
【０１１１】
１  設備端末
１ｅ  ＩＦ情報記憶部
２  設備コントローラ
２ｄ  ＩＦ情報リスト記憶部
２ｅ  イベント−ＩＦ対応リスト記憶部
２ｆ  画面構成記憶部
２ｇ  画面データ生成部
３  設備ビューア
３ｃ  表示部
ＮＴ  ネットワーク
【図１】
0005215697.tif 000002
【図２】
0005215697.tif 000003
【図３】
0005215697.tif 000004
【図４】
0005215697.tif 000005
【図５】
0005215697.tif 000006
【図６】
0005215697.tif 000007
【図７】
0005215697.tif 000008
【図８】
0005215697.tif 000009
【図９】
0005215697.tif 000010
【図１０】
0005215697.tif 000011
【図１１】
0005215697.tif 000012
【図１２】
0005215697.tif 000013
【図１３】
0005215697.tif 000014
【図１４】
0005215697.tif 000015